(57)【要約】【課題】  ブラウザに表示された電話番号に基づいて容易に電話の発信操作をすることができ、また発信先電話番号と関連する情報を発信履歴として残すことができるネットワーク端末を提供する。【解決手段】  ネットワーク端末３は、インターネット５を経由して閲覧したウェブサイトのコンテンツを表示する機能および電話制御機能を備える。閲覧したウェブサイトのコンテンツ内において電話番号を認識したときは、この電話番号にリンク情報を付加してこの電話番号を本コンテンツ内の他の情報と識別可能なように、例えば電話番号に下線、色分け、図形シンボル、略号化などを施して表示または保存する。この識別可能なように表示された電話番号を選択することにより電話の発信を行う。この電話の発信日時および発信先電話番号に関連付けて閲覧したウェブサイトの識別情報を保存する。【選択図】  図１
2005318244.tif 000002
【特許請求の範囲】
【請求項１】
ネットワークを経由してウェブサイトを閲覧し前記ウェブサイトのコンテンツを表示する機能および電話制御機能を備えたネットワーク端末であって、前記コンテンツ内において電話番号を認識したとき、前記電話番号にリンク情報を付加して前記電話番号を前記コンテンツ内の他の情報と識別可能なように表示または保存することを特徴とするネットワーク端末。
【請求項２】
前記識別可能なように表示された電話番号を選択することによって電話の発信を行うことを特徴とする請求項１記載のネットワーク端末。
【請求項３】
前記電話の発信日時および発信先電話番号に関連付けて前記閲覧したウェブサイトの識別情報を保存することを特徴とする請求項２記載のネットワーク端末。
【請求項４】
ネットワークを経由してウェブサイトを閲覧し前記ウェブサイトのコンテンツを読み込む機能、前記コンテンツ内に含まれる数字列の中から電話番号の形式になっている数字列を識別する機能、前記電話番号の形式として識別された数字列にリンク情報を付加する機能、および前記リンク情報の付加された数字列を電話番号として前記コンテンツ内の他の情報と識別可能なように表示または保存する機能を、コンピュータに実現させるためのプログラム。
【請求項５】
さらに、前記リンク情報の付加された数字列を選択し保存する機能、および前記閲覧したウェブサイトの識別情報を保存する機能を、コンピュータに実現させるための請求項４記載のプログラム。
【請求項６】
さらに、前記保存された数字列に基づいて電話を発信する機能、および前記電話の終了後に前記電話の発信日時および発信先電話番号に関連付けて前記閲覧したウェブサイトの識別情報を保存する機能を、コンピュータに実現させるための請求項５記載のプログラム。
【発明の詳細な説明】
【技術分野】
【０００１】
本発明はネットワーク端末に係り、特にインターネットを経由してＷｅｂ（ウェブ）サーバ装置へアクセスしてコンテンツを表示するブラウザ機能および電話制御機能を持ったＰＣなどのネットワーク端末に関するものである。
【背景技術】
【０００２】
従来から、インターネットを経由して、ウェブサーバ装置にアクセスして、該当ＵＲＬのＨＴＭＬを取得し、これをクライアント端末（ネットワーク端末）のブラウザ機能を持ったソフトウェアで表示することが行われている。この表示の際、表示内容に、ＵＲＬやリンク先を表示したい場合、ＨＴＭＬ内で、リンクするための文を埋め込むことにより、これを実現している。
【０００３】
また、ネットワーク端末は、ワープロソフトやメールソフトによりＵＲＬやメールアドレスを入力した場合は、その形式を自動判定し、ＵＲＬを制御するブラウザソフト、あるいはメールアドレスを使用するメールソフトなどとの連係動作が行われるようにされている。
【０００４】
例えば特許文献１には、表示したコンテンツに複数のリンク情報が含まれている場合、車の中で選択しやすくするため、リンク情報を項目表示して選択しやすくする技術が開示されている。
【特許文献１】特開２００４−３８３４２公報
【０００５】
ところで、ＴＣＰ／ＩＰネットワークを利用して、音声を送ることによるＩＰ電話が普及してきている。これは、ハンドセットを接続しているＰＣ等のネットワーク端末から、ＳＩＰ、Ｈ．３２３プロトコルなどを利用して、ダイヤル発信を行うものである。これにより、ＩＰ電話や通常のアナログ電話との会話が可能となっている。具体的には、ネットワーク端末において、電話制御機能を持ったソフトウェアを持ち、その画面より、発信先のダイヤル番号を入力することにより行われる。ダイヤル入力の手間を省くために、電話帳データベースから、名寄せ機能などを使用して、絞込み検索を行うことが通常行われている。発信先のダイヤル番号が電話帳データベースに登録されていない場合は、画面またはハンドセットより、電話番号を入力し、発信操作を行う。
【発明の開示】
【発明が解決しようとする課題】
【０００６】
しかしながら、従来の電話制御機能を有するネットワーク端末には、次のような課題が存在する。
（１）ブラウザ表示状態から表示コンテンツに含まれる電話番号を見ながらダイヤル発信操作を行うことが煩わしい。
（２）発信履歴に関しては、電話帳データベースに登録されている宛先以外に発信する場合、発信先電話番号だけしか履歴が残らない。そのため、何のために、どこに発信したのか分からず履歴管理が難しい。
【０００７】
本発明の目的は、上記課題を解決し、ブラウザに表示された電話番号に基づいて容易に電話の発信操作をすることができるネットワーク端末を提供することにある。また、発信先電話番号と関連する情報を発信履歴として残すことができるネットワーク端末を提供することにある。
【課題を解決するための手段】
【０００８】
上記目的は、ネットワークを経由してウェブサイトを閲覧し前記ウェブサイトのコンテンツを表示する機能および電話制御機能を備えたネットワーク端末であって、前記コンテンツ内において電話番号を認識したとき、前記電話番号にリンク情報を付加して前記電話番号を前記コンテンツ内の他の情報と識別可能なように表示または保存するネットワーク端末により、達成される。ここで、前記コンテンツは、例えばＨＴＭＬ、ＸＭＬなどの言語で記述されている。また、前記電話番号を他の情報と識別可能なように表示または保存するとは、例えば前記電話番号に下線、色分け、図形シンボル、略号化などを施して表示または保存することをいう。
本ネットワーク端末では、前記識別可能なように表示された電話番号を選択することによって電話の発信を行うことができる。この場合、前記電話の発信日時および発信先電話番号に関連付けて前記閲覧したウェブサイトの識別情報を保存することができる。
【０００９】
また、本発明に係るプログラムは、ネットワークを経由してウェブサイトを閲覧し前記ウェブサイトのコンテンツを読み込む機能、前記コンテンツ内に含まれる数字列の中から電話番号の形式になっている数字列を識別する機能、前記電話番号の形式として識別された数字列にリンク情報を付加する機能、および前記リンク情報の付加された数字列を電話番号として前記コンテンツ内の他の情報と識別可能なように表示または保存する機能を、コンピュータに実現させるためのものである。
本プログラムは、さらに、前記リンク情報の付加された数字列を選択し保存する機能、および前記閲覧したウェブサイトの識別情報を保存する機能を、コンピュータに実現させるためのものとすることができる。さらに、前記保存された数字列に基づいて電話を発信する機能、および前記電話の終了後に前記電話の発信日時および発信先電話番号に関連付けて前記閲覧したウェブサイトの識別情報を保存する機能を、コンピュータに実現させるためのものとすることができる。
【発明の効果】
【００１０】
本発明により、下記効果を有するネットワーク端末を得ることができる。
（１）ブラウザ表示状態から、表示コンテンツに含まれる電話番号を指定することにより、電話のダイヤル発信の操作性向上を図ることができる。
（２）電話の発信履歴に、発信先電話番号とともに、それを含むＵＲＬなどのウェブサイトの識別情報の履歴を取ることができ、これを電話発信後の履歴管理に役立てることができる。
【発明を実施するための最良の形態】
【００１１】
以下、本発明に係るネットワーク端末の一実施例を図面を用いて説明する。
図１は、本発明に係るネットワーク端末を含むネットワークシステムの全体構成例を示す図である。本ネットワークシステムは、ＷＷＷサイトを閲覧提供するＷｅｂ（ウェブ）サーバ装置１と、ローカルエリア９におけるサーバ装置２と、サーバ装置２に接続された複数のネットワーク端末（クライアント）３と、各ネットワーク端末に接続されたソフトフォン用ハンドセット４と、Ｗｅｂサーバ装置１およびサーバ装置２が接続されるネットワークとしてのインターネット５と、インターネット５に接続されるゲートウェイ６と、ゲートウェイ６に接続されるＰＢＸ７と、ＰＢＸ７に接続される複数の電話８とを備えて構成される。
【００１２】
図１において、Ｗｅｂサーバ装置１は、インターネット５を経由してＷＷＷサイトを閲覧提供する。サーバ装置２は、オフィスなどのローカルエリア９のネットワーク端末３をインターネット５へ接続するためのものであり、プロキシー、ＤＮＳおよびメール機能に加えて、ＩＰ電話の接続制御を行うＳＩＰ機能も備えている。図１では、１つのサーバ装置２として表示しているが、複数のサーバ装置により、機能分担されていてもよい。ネットワーク端末３は、ネットワークに接続されるコンピュータ、例えばパソコン（ＰＣ）などであり、これにハンドセット４を接続することによりソフトフォン機能を備えている。ゲートウェイ６は、ＩＰ電話からのメッセージを、従来のＰＢＸ７用の情報に変換するものである。電話８は、例えば従来のアナログ電話であるが、それに限定されず、ネットワーク端末３との話相手として同様のソフトフォン機能を持ったネットワーク端末、あるいはＩＰ電話などでもよい。
【００１３】
このように、ネットワーク端末３は、インターネット５を経由して閲覧したウェブサイトのコンテンツを表示する機能とともに、ソフトフォン機能（電話制御機能）を備える。そして、ネットワーク端末３は、閲覧したウェブサイトのコンテンツ内において電話番号を認識したときは、この電話番号にリンク情報を付加してこの電話番号を本コンテンツ内の他の情報と識別可能なように、例えば電話番号に下線、色分け、図形シンボル、略号化などを施して表示または保存する。本ネットワーク端末では、この識別可能なように表示された電話番号を選択することにより電話の発信を行うことができる。しかも、この電話の発信日時および発信先電話番号に関連付けて閲覧したウェブサイトの識別情報を保存することができる。これらの詳細については後述する。
【００１４】
図２は、図１で示されたネットワーク端末３のハードウェア構成の一例を示す図である。ネットワーク端末３は、図示のように、ネットワーク端末３の全体制御を行なうＣＰＵ３０１と、コンピュータプログラムやテーブルなどを格納しているメモリ３０２と、サーバ装置２などとの通信を行うＬＡＮ通信手段３０３と、コンピュータプログラムやデータベースを保管しているハードディスク（ＨＤＤ）３０４と、キーボードやマウスなどを制御する入力部３０５と、モニタやディスプレイなどを制御する表示部３０６と、ＵＳＢインターフェースで接続されたハンドセット４を制御するＵＳＢ制御部３０７とを備え、各部は相互に接続されている。
【００１５】
図３は、図１で示されたネットワーク端末３の機能ブロックの一例を示す図である。ネットワーク端末３は、図示のように、ネットワーク端末３のブラウザ制御や電話制御を含む全体制御部３１０を持つ。全体制御部３１０は、通信制御部３１１と、ブラウザ制御部３１２と、表示制御部３１３と、入力制御部３１４と、キャッシュ３１５と、電話番号認識部３１６と、ソフトフォン制御部３１７と、ハンドセット制御部３１８と、発信履歴ファイル３１９とを備える。
【００１６】
ここで、通信制御部３１１は、ＬＡＮ、ＴＣＰ／ＩＰなどの通信制御を行う。ブラウザ制御部３１２は、Ｗｅｂサーバ装置１にアクセスした時、該当ＵＲＬへのアクセス、対応するサイトのＨＴＭＬなどを受信し、それに基づき、キャッシングや、表示、入力に対する指示を出す、いわゆるブラウザソフトである。表示制御部３１３は、ブラウザ制御部３１２からの指示に基づき表示の制御を行う。入力制御部３１４は、キーボード、マウスなどにより選択された場所、アクションをイベントにして、ブラウザ制御部３１２へ伝える。本イベントと、表示内容との組合せにより、ブラウザ制御部３１２は、選択している部分が、ＨＴＭＬ上のどの部分に相当するかを知ることができる。
【００１７】
キャッシュ３１５には、ＵＲＬ毎に過去参照したＨＴＭＬが格納されており、再表示指示時、該当サイトが更新されていない場合の表示時間短縮化を図っている。本発明においても、修正前のＨＴＭＬと修正後のＨＴＭＬをキャッシュに保存しておき、必要に応じて、切り替え表示することにも利用する。電話番号認識部３１６は、受信したＨＴＭＬ文の中に、電話番号の形式のものが存在するかどうかを判別するものである。ソフトフォン制御部３１７は、ブラウザ制御部３１２から、クリップボード３０９経由で、発信すべき電話番号を受けて、電話の発信、接続、切断、履歴採取の機能を制御する。これは入力制御部３１４や表示制御部３１３を使用して単独でも実行も可能である。ハンドセット制御部３１８は、ハンドセット４からの入力情報や音声情報を制御する。発信履歴ファイル３１９は、ソフトフォン制御部３１７の発信履歴を格納する。
【００１８】
図４は、Ｗｅｂサーバ装置１より受信したオリジナルのＨＴＭＬに基づいて、ブラウザ制御部３１２が表示指示した表示例を示す図である。図示のように、ブラウザ表示画面３２０には、ウインドウ枠内に、表示画面のタイトルバー３２１と、ブラウザ制御部３１２のメニューバー３２２と、表示内容を示すコンテンツエリア３２３とが表示される。本例では、図のように、このコンテンツエリア３２３に、問合せ先として複数の電話番号が表示されている。
【００１９】
図５は、図４の表示内容に相当するオリジナルのＨＴＭＬ文の例を示す図である。図中、タイトル５０１は、表示画面３２０のタイトルバー３２１に表示される内容を示している。また、テキスト５０２は、それぞれ、コンテンツエリア３２３内の電話番号の文字列を含んだテキストを示す。この時点では、テキストは、青色や下線などのリンクを示す表示は行われていない。
【００２０】
図６は、オリジナルのＨＴＭＬにおいて、メニューバー３２２の“表示”から、表示詳細メニュー３２４の“電話番号解析”メニューを表示した表示例を示す図である。ここで、“電話番号解析”メニューを選択すると、現在、表示されているコンテンツエリア３２３の電話番号の文字列を判別するための認識が開始される。
【００２１】
図７は、図６の電話番号解析の結果、修正されたＨＴＭＬ文に相当する画面表示例を示す図である。ここで、リンク表示３２５では、電話番号の部分が、解析により電話番号形式になっていると認識された結果、表示が青色とされ下線が付されている。
【００２２】
図８は、図７の表示内容に相当する修正されたＨＴＭＬ文の例を示す図である。図中、タイトル８０１は、表示画面３２０のタイトルバー３２１に表示される内容を示している。文字列８０２は、それぞれ電話番号形式として認識され、青色および下線などのリンク表示を指示している文を示す。ここで、リンクされている本例では、対象となる文を、例えば、マウスで選択した時点で、“clipboardDataset”で指定されたＨＴＭＬ用スクリプト言語などの言語を用いて実行がなされるように指定されている。例えば、８０２の第一行目において、画面の表示では、全角で“０３−１２３４−××××”となっている部分を選択すると、ＨＴＭＬ用スクリプト“clipboardDataset”が、“認識ＴＥＬ：031234ｘｘｘｘ”という形式で、ＯＳのクリップボードに貼り付ける動作を行うことを意味する。
【００２３】
図９は、図７の修正されたＨＴＭＬの表示例において、リンクされた電話番号の行の選択メニュー表示例を示す図である。本例では、対象行にマウスを当て、右クリックすると、図示のように、詳細選択メニュー３２６が表示される。ここで、“発信”メニューを選択すると、対象の電話番号の文字列、本例では、リンク表示３２５の３行目に相当する文字列８０２（図８）の“認識ＴＥＬ：039012ｘｘｘｘ”を選択し、ＯＳのクリップボードに貼り付けることになる。また、“電話帳に登録”メニューを選択すると、選択された対象行の電話番号が電話帳に登録される。この時、電話番号とともに、ＵＲＬ、Ｗｅｂサイトのタイトル、関連する表示テキストなどを、同時に登録することにより、あとで、電話帳参照時に判別しやすくすることができる。
【００２４】
図１０は、図３で示された発信履歴を格納している発信履歴ファイル３１９の構成例を示す図である。図示のように、発信日時フィールド３１９１は、例えば、発信順にソートされる。関連ＵＲＬフィールド３１９２は、参照したＷｅｂ（ウェブ）サイトのＵＲＬを格納しているものである。発信電話番号フィールド３１９３は、参照したＷｅｂサイトに含まれ、発信に使用した電話番号（発信先電話番号）を格納しているものである。タイトルフィールド３１９４は、参照したＷｅｂサイトのＨＴＭＬ上のタイトル８０１の内容が格納されている。本例では、“ＸＹＺ新聞”を示している。
【００２５】
図１１は、図３のネットワーク端末内部における各機能ブロック間の処理流れ図である。まず、ブラウザ制御部３１２は、指定されたＵＲＬのＨＴＭＬをダウンロードし（Ｓ１１０１）、その結果はキャッシングにより（Ｓ１１０２）、キャッシュ３１５に格納する（Ｓ１１０２）。これとともに、表示制御部３１３に表示指示する（Ｓ１１０３）。これにより、表示制御部３１３において、受信したオリジナルのＨＴＭＬに基づいて、表示が行われる（Ｓ１１１１）。
【００２６】
次に、入力制御部３１４において、図６で示した手順で、電話番号解析メニューが選択されＨＴＭＬ電話番号解析指示が入力されると（Ｓ１１２１）、これにより電話番号認識部３１６において、ＨＴＭＬ内の電話番号認識処理（Ｓ１１３１）が起動される。ブラウザ制御部３１２は、電話番号認識部３１６の電話番号認識処理（Ｓ１１３１）のために表示指示しているＨＴＭＬを送信する（Ｓ１１０４）。電話番号認識処理（Ｓ１１３１）では、現在表示しているオリジナルのＨＴＭＬを受信し、その内容を解析し、電話番号の形式になっているものを判定識別する。その結果、判定識別された電話番号情報に対して、図８で示したごとく、リンク情報を付加した修正を施し、ブラウザ制御部３１２へ修正後のＨＴＭＬを返信する。ブラウザ制御部３１２は、修正後のＨＴＭＬを受信すると（Ｓ１１０５）、それを使用して、表示指示を行い（Ｓ１１０６）、修正後のＨＴＭＬもキャッシングを行う（Ｓ１１０７）。
【００２７】
表示制御部３１３では、修正ＨＴＭＬを表示した後（Ｓ１１１２）、入力制御部３１４において、図９で示した手順で、電話番号を選択発信処理する（Ｓ１１２２）。発信メニューが選択されると、これにより、クリップボードに、所定の形式で選択された文字列が書き込まれ、その文字列を検出することで、ソフトフォン制御部３１７のソフトフォン処理（Ｓ１１４１）が起動され、本文字列から、電話番号を抽出して発信することになる。
【００２８】
図１２は、電話番号認識処理（Ｓ１１３１）の詳細処理流れ図である。まず、オリジナルのＨＴＭＬをブラウザ制御部３１２より受信し読み込み（Ｓ１２０１）、ＨＴＭＬ内に含まれる全数字を半角に変換する（Ｓ１２０２）。そして、変換後の数字において、２桁の外線番号に類似のものを探索する（Ｓ１２０３）。一般に、例えば、“03−”または、“（03）”で始まる数字列を探索する。複数の候補が見つかった場合、さらに、その後方に続く文字列が、４桁で、例えば、“1234−”の形式になっているかどうか検査する。次に、最後尾に、４桁で、例えば、“5678”の形式になっているかどうか検査する。
【００２９】
上記条件が揃った場合は、本数字列を電話番号と見なして、リンク情報を付加するように修正し（Ｓ１２０４）、その中に、半角の数字列、例えば、“0312345678”を、発信用の電話番号として、図８の“認識ＴＥＬ：0312345678”として、リンク情報に合わせて貼り付ける。ここで、“（”、“）”、“−”の区切り文字は半角でも全角でもよく、さらに、スペースも同様に扱うことで認識の幅を広げることができる。また、本例では、リンク後の表示に関して、“０３−１２３４−××××”という表示がなされる指定をしているが、ここで、電話番号そのものでなく、略号や図形シンボルによる表示でも差し支えない。ＨＴＭＬ内の８０２の各文が、リンクされている電話番号情報として使用される。
【００３０】
以下、外線番号が３桁のケース（Ｓ１２０５、Ｓ１２０６）、外線番号が４桁のケース（Ｓ１２０７，Ｓ１２０８）に関しても、上記と同様に、判定識別動作、リンク情報を付加する修正動作が行われる。以上、Ｓ１２０３からＳ１２０７までのステップを全数字列に関して実行する（Ｓ１２０９）。
【００３１】
図１３は、電話番号選択発信処理（Ｓ１１２２）の詳細処理流れ図である。画面上でマウスを当てた部分の座標より、本座標に相当するＨＴＭＬ文を選択する。選択されたＨＴＭＬ文の中から、“認識ＴＥＬ：nnnnnnnnnn”の形式の文字列が含まれるかどうかを検索する（Ｓ１３０１）。ここで、“nnnnnnnnnn”は、半角の数字で、“0312345678”のような電話番号を示す。上記文字列が含まれているときは、“認識ＴＥＬ：nnnnnnnnnn”（例えば、“認識ＴＥＬ：0312345678”）の文字列をＯＳのクリップボードにコピーをする（Ｓ１３０２）。同時に、該当ＨＴＭＬのｔｉｔｌｅタグではさまれたタイトル文字列をＯＳのクリップボードにコピーをする（Ｓ１３０３）。また、該当ＨＴＭＬを受信したＷｅｂサイトのＵＲＬをＯＳのクリップボードにコピーをする（Ｓ１３０４）。ＵＲＬ情報は、一般に、ＨＴＭＬ受信時、キャッシュ３１５に格納されている。
【００３２】
図１４は、図１３の結果によりクリップボードにコピーされた形式を示す図である。図示のように、選択された認識電話番号１４０１、タイトル１４０２、および参照した関連ＵＲＬ１４０３が格納される。
【００３３】
図１５は、ソフトフォン処理（Ｓ１１４１）の詳細処理流れ図である。本処理では、図１４のクリップボード内の認識電話番号１４０１の“認識ＴＥＬ：”という文字列が含まれているかどうかを一定周期で監視する（Ｓ１５０１）。本文字列を検出した場合、本“認識ＴＥＬ：”の後方に続く数字列“nnnnnnnnnn”を切り出し、それを用いて、電話の発信を行う（Ｓ１５０２）。電話の発信により相手と接続後、音声による会話がハンドセットを用いて行われる（Ｓ１５０３）。会話終了後、電話の発信日時、関連ＵＲＬ１４０３、認識電話番号１４０１、タイトル１４０２のそれぞれを発信履歴ファイルの発信日時３１９１、関連ＵＲＬ３１９２、発信電話番号３１９３、タイトル３１９４の各フィールドへ書き込みを行う（Ｓ１５０４）。最後に、クリップボードをクリアして終了する（Ｓ１５０５）。
【００３４】
以上の例で、図１２の電話番号認識処理および図１３の電話番号選択発信処理は、あらかじめ、ブラウザソフトウェアの中に、アドインソフトウェアとして、各ネットワーク端末（クライアント）にそのコンピュータプログラムがインストールされていても良く、また、ＨＴＭＬ受信時、Ｗｅｂサーバ装置から、そのコンピュータプログラムをダウンロードして入手し実行する方法でも良い。後者の場合、本例では、ブラウザソフトウェアの機能として、メニューから選択する方式としたが、ＨＴＭＬの中に、電話番号認識処理および電話番号選択処理の選択実行ボタン、同様の機能を持ったスクリプト文が含まれていることになる。
【００３５】
さらに、また、電話番号認識処理および電話番号選択発信処理の選択実行ボタンを押すことにより、Ｗｅｂサーバ装置に、要求メッセージを送り、それに基づいて、Ｗｅｂサーバ装置より、修正されたＨＴＭＬを受信したり、選択された電話番号を送り返す方法も可能である。
以上の説明では、ソフトフォン処理とのインターフェースをクリップボード経由としたが、これに限るものでなく、ファイル経由、さらに、検出した電話番号を用いて、ＯＳ経由、ソフトフォン制御部へ、要求イベントを発生する方法でもよい。
【産業上の利用可能性】
【００３６】
本発明は、例えばインターネットを経由してＷｅｂサーバ装置へアクセスしてコンテンツを表示するブラウザ機能および電話制御機能を持ったＰＣなどのネットワーク端末に関するものであり、産業上の利用可能性がある。
【図面の簡単な説明】
【００３７】
【図１】本発明に係るネットワーク端末を含むネットワークシステムの全体構成例を示す図である。
【図２】図１で示されたネットワーク端末３のハードウェア構成の一例を示す図である。
【図３】図１で示されたネットワーク端末３の機能ブロックの一例を示す図である。
【図４】Ｗｅｂサーバ装置１より受信したオリジナルのＨＴＭＬに基づいて、ブラウザ制御部３１２が表示指示した表示例を示す図である。
【図５】図４の表示内容に相当するオリジナルのＨＴＭＬ文の例を示す図である。
【図６】オリジナルのＨＴＭＬにおいて、メニューバー３２２の“表示”から、表示詳細メニュー３２４の“電話番号解析”メニューを表示した表示例を示す図である。
【図７】図６の電話番号解析の結果、修正されたＨＴＭＬ文に相当する画面表示例を示す図である。
【図８】図７の表示内容に相当する修正されたＨＴＭＬ文の例を示す図である。
【図９】図７の修正されたＨＴＭＬの表示例において、リンクされた電話番号の行の選択メニュー表示例を示す図である。
【図１０】図３で示された発信履歴を格納している発信履歴ファイル３１９の構成例を示す図である。
【図１１】図３のネットワーク端末内部における各機能ブロック間の処理流れ図である。
【図１２】電話番号認識処理（Ｓ１１３１）の詳細処理流れ図である。
【図１３】電話番号選択発信処理（Ｓ１１２２）の詳細処理流れ図である。
【図１４】図１３の結果によりクリップボードに複写された形式を示す図である。
【図１５】ソフトフォン処理（Ｓ１１４１）の詳細処理流れ図である。
【符号の説明】
【００３８】
１：Ｗｅｂサーバ装置
２：サーバ装置
３：ネットワーク端末（クライアント）
４：ハンドセット
５：インターネット
６：ゲートウェイ
７：ＰＢＸ
８：電話
３０１：ＣＰＵ
３０２：メモリ
３０３：ＬＡＮ通信部
３０４：ＨＤＤ
３０５：入力部
３０６：表示部
３０７：ＵＳＢ制御部
３０９：クリップボード
３１０：全体制御部
３１１：通信制御部
３１２：ブラウザ制御部
３１３：表示制御部
３１４：入力制御部
３１５：キャッシュ
３１６：電話番号認識部
３１７：ソフトフォン制御部
３１８：ハンドセット制御部
３１９：発信履歴ファイル
３２０：ブラウザ表示画面
３２１：タイトルバー
３２２：メニューバー
３２３：コンテンツエリア
３２４：表示詳細メニュー
３２５：リンク表示
３２６：詳細選択メニュー
５０１：タイトル
５０２：テキスト
８０１：タイトル
８０２：リンク文
３１９１：発信日時
３１９２：関連ＵＲＬ
３１９３：発信電話番号
３１９４：タイトル
１４０１：認識電話番号
１４０２：タイトル
１４０３：関連ＵＲＬ
【図１】
2005318244.tif 000003
【図２】
2005318244.tif 000004
【図３】
2005318244.tif 000005
【図４】
2005318244.tif 000006
【図５】
2005318244.tif 000007
【図６】
2005318244.tif 000008
【図７】
2005318244.tif 000009
【図８】
2005318244.tif 000010
【図９】
2005318244.tif 000011
【図１０】
2005318244.tif 000012
【図１１】
2005318244.tif 000013
【図１２】
2005318244.tif 000014
【図１３】
2005318244.tif 000015
【図１４】
2005318244.tif 000016
【図１５】
2005318244.tif 000017